(57)【要約】【課題】連通管路から浴槽パンへの排水の逆流のない浴室ユニットの排水装置を提供することを目的としている。【解決手段】洗い場パンと浴槽を下方から受ける浴槽パンとが連接された浴室ユニットにおいて、洗い場パン排水口下方に排水トラップが設けられ、この排水トラップと浴槽パンの底面を貫通して下方に延出して設けられた浴槽排水管とが連通管路を介して連通しているとともに、排水トラップに主排水管が接続されており、浴槽パン底面の連通管路内を臨む位置に穿設された浴槽パン排水口が、連通管路内および排水トラップ内を通り、一旦封水面より高くなったのち、その一端が主排水管内の封水面より低い位置に臨む浴槽パン排水管の他端に連結されていることを特徴としている。【選択図】      図１
2005146795.tif 000002
【特許請求の範囲】
【請求項１】
洗い場パンと浴槽を下方から受ける浴槽パンとが連接された浴室ユニットにおいて、
洗い場パン排水口下方に排水トラップが設けられ、この排水トラップと浴槽パンの底面を貫通して下方に延出して設けられた浴槽排水管とが連通管路を介して連通しているとともに、排水トラップに主排水管が接続されており、
浴槽パン底面の連通管路内を臨む位置に穿設された浴槽パン排水口が、連通管路内および排水トラップ内を通り、一旦封水面より高くなったのち、その一端が主排水管内の封水面より低い位置に臨む浴槽パン排水管の他端に連結されていることを特徴とする浴室ユニットの排水装置。
【発明の詳細な説明】
【技術分野】
【０００１】
本発明は、浴室ユニットの排水装置に関する。
【背景技術】
【０００２】
浴槽を洗い場パンに隣接して設けられた浴槽パンで下方から受けるようにした浴室ユニットにおいては、図４に示すように、浴槽パン１００および浴槽２００からの排水と、洗い場パン３００からの排水とをトラップ４１０を備えた連通管路４００に集合させたのち、この連通管路４００に接続された排水管５００に排水するようになっているとともに、図５および図６に示すように、洗い場パンから連通管路４００に流入した排水が浴槽パン排水口となるフロート目皿７００の開口７１０を介して浴槽パン１００側へ逆流しないように、逆流しようとする排水によって水圧がかかったとき、この水圧によって浮き上がり、開口７１０を下方から塞ぐフロート弁８００をフロート目皿７００の直下の連通管路４００内に設けるようにした浴槽ユニットＢの排水装置９００がすでに提案されている（たとえば、特許文献１参照）。
なお、図５および図６中、２１０は、浴槽排水管であって、フロート目皿７００の中央に設けられた挿通孔７２０にその先端が挿通されていて、浴槽２００からの排水を浴槽パン１００内に流入させず、直接連通管路４００内に流し込めるようになっている。
【０００３】
【特許文献１】特開２００１−１０７４１２号公報
【発明の開示】
【発明が解決しようとする課題】
【０００４】
上記排水装置の場合、フロート弁８００によって浴槽パン１００側への排水の逆流を防止できるようになったのであるが、長期間使用していると、フロート弁８００、フロート目皿７００や連通管路４００の内壁面等に汚れが付着し、フロート弁８００がフロート目皿７００の下面や連通管路の内壁面に吸着した状態になってしまい、開口７１０が閉鎖された状態になってしまう恐れがある。したがって、頻繁にフロート目皿７００やフロート弁８００を清掃する必要がある。
しかし、浴槽側と洗い場側を仕切るエプロン等を取り外さなければならないなど、一般家庭の使用者が行うには、非常に作業性が悪く面倒である。したがって、どうしても浴槽パン内が汚れた状態で放置されがちである。
本発明は、上記事情に鑑みて、連通管路から浴槽パンへの排水の逆流のない浴室ユニットの排水装置を提供することを目的としている。
【課題を解決するための手段】
【０００５】
上記目的を達成するために、本発明にかかる浴室ユニットの排水装置は、洗い場パンと浴槽を下方から受ける浴槽パンとが連接された浴室ユニットにおいて、洗い場パン排水口下方に排水トラップが設けられ、この排水トラップと浴槽パンの底面を貫通して下方に延出して設けられた浴槽排水管とが連通管路を介して連通しているとともに、排水トラップに主排水管が接続されており、浴槽パン底面の連通管路内を臨む位置に穿設された浴槽パン排水口が、連通管路内および排水トラップ内を通り、一旦封水面より高くなったのち、その一端が主排水管内の封水面より低い位置に臨む浴槽パン排水管の他端に連結されていることを特徴としている。
【発明の効果】
【０００６】
本発明にかかる浴室ユニットの排水装置は、以上のように、浴槽パン内に入り込んだ排水は、浴槽パン排水口から浴槽パン排水管を介して直接主排水管に流れ、連通管路から浴
槽パン側へ排水が逆流することがない。また、浴槽パン排水管が連通管路内を通り主排水管に到るように配管されているので、連通管路を含む他の部分を従来の排水装置と共用できるので、製造コストを低減できる。
【発明を実施するための最良の形態】
【０００７】
以下に、本発明を、その実施の形態をあらわす図面を参照しつつ詳しく説明する。
図１〜図３は、本発明にかかる浴室ユニットの排水装置の１つの実施の形態をあらわしている。
【０００８】
図１〜図３に示すように、この排水装置１は、浴槽パン２が、浴槽パン本体２１と、連通管路接続部材２２と、排水管接続部材２３とを備えている。
浴槽パン本体２１は、その最も低部に、連通管路接続部材２２の受け部となる段落部２１ａが設けられ、段落部２１ａの中央に連通管路３との接続口２１ｂが穿設されている。
【０００９】
連通管路接続部材２２は、筒状本体２２ａと、この筒状本体２２ａの一端から外側に張り出す係止鍔部２２ｂと、本体の他端から内側に張り出し、後述する排水管接続部材２３の連通管路３内への落ち込みを防止するストッパ２２ｃとを備え、連通管路接続部材２２は、接続口２１ｂの周縁に嵌合された断面略コ字形をしたパッキン２４を介在させた状態で、係止鍔部２２ｂが接続口２１ｂ周縁の段落部２１ａで受けられるまで、接続口２１ｂに筒状本体２２ａを挿入することによって、連通管路３の浴槽パン側の端部に水密に連結されている。
排水管接続部材２３は、接続部材本体２３ａと、後述する浴槽排水管４が嵌合接続される連結筒部２３ｂと、嵌着筒部２３ｃとを備えている。
【００１０】
接続部材本体２３ａは、その中央に連結筒部２３ｂが開口しているとともに、浴槽パン排水口２３ｄが穿設されている。
連結筒部２３ｂは、接続部材本体２３ａのリングの内縁から下方に向かって筒状に延出し、浴槽排水管４の下端部が水密に嵌合されている。
【００１１】
嵌着筒部２３ｃは、接続部材本体２３ａの外縁から下方に向かって筒状に延出し、パッキン２４を介在させた状態で、連通管路接続部材２２の筒状本体２２ａに水密に嵌合され、その下端が連通管路接続部材２２のストッパ２２ｃに受けられて、排水管接続部材２３を連通管路３内に落ち込ませないようにしている。
浴槽排水管４は、一端が浴槽５の排水口５１に接続され、他端が連通管路接続部材２２の連結筒部２３ｂに嵌合連結されている。
【００１２】
連通管路３は、その一端が排水管接続部材２３を介して浴槽排水管４に接続され、他端が後述する排水トラップ６に接続されている。
排水トラップ６は、浴槽パン排水口２３ｄより高い位置に設けられた洗い場パン７の洗い場パン排水口７１を下方から受けるように設けられているとともに、主排水管８がその入口８１の上部が、封水面ＳＬより高い位置にくるように接続されている。
【００１３】
また、浴槽パン排水口２３ｄには、浴槽パン排水管９の一端が接続されている。
浴槽パン排水管９は、連通管路３および排水トラップ６内を通り、一旦その高さが封水面ＳＬより高くなったのち、その他端が主排水管８内の封水面ＳＬより低い位置で開放されている。
【００１４】
図２中、６１は、一端が排水トラップ６に接続され、他端が浴室のドア枠（図示せず）下方に設けられたドア排水受け部（図示せず）に接続されたドア排水管である。
【００１５】
以上のように、この排水装置１によれば、浴槽パン２内に流れ込んだ排水は、浴槽パン排水口２３ｄから浴槽パン排水管９を通って、直接主排水管８に排水される。
したがって、洗い場パン７側あるいは浴槽５側からの排水が多量に連通管路３内に流れ込んでも、これらの排水が浴槽パン２側に逆流することがない。勿論、従来のようにフロート弁が設けられていないので、フロート弁やフロート目皿を清掃したりする必要もない。
【００１６】
また、浴槽パン排水管９が、一旦封水面ＳＬより高くなり、その他端が主排水管８内の封水面ＳＬより低い位置で開放されているので、封水面ＳＬより高くなった部分と浴槽パン排水口２３ｄとの間の部分に封水が溜まり、主排水管８側の汚臭が浴槽パン２側へ入り込むことがない。
さらに、浴槽パン排水管９が連通管路３内を通り主排水管８に到るように配管されているので、連通管路３を含む他の部分を従来の排水装置と共用できるので、製造コストを低減できる。
【００１７】
本発明にかかる排水装置は、上記の実施の形態に限定されない。たとえば、上記の実施の形態では、ドア排水管６１が設けられていたが、バリアフリー対応でない浴室入口に段差のある浴室ユニットの場合、ドア排水管６１を設けなくても構わない。
【図面の簡単な説明】
【００１８】
【図１】本発明にかかる浴室ユニットの排水装置の１つの実施の形態をあらわす断面図である。
【図２】図１の排水装置の要部拡大図である。
【図３】図１の排水装置の要部平面図である。
【図４】従来の浴室ユニットの排水装置の側面図である。
【図５】図４の排水装置の要部断面図である。
【図６】図４の排水装置のフロート目皿部分の平面図である。
【符号の説明】
【００１９】
１  排水装置
２  浴槽パン
２３ｄ  浴槽パン排水口
３  連通管路
４  浴槽排水管
５  浴槽
６  排水トラップ
７  洗い場パン
７１  洗い場パン排水口
８  主排水管
９  浴槽パン排水管
ＳＬ  封水面
【図１】
2005146795.tif 000003
【図２】
2005146795.tif 000004
【図３】
2005146795.tif 000005
【図４】
2005146795.tif 000006
【図５】
2005146795.tif 000007
【図６】
2005146795.tif 000008